(57)【要約】【課題】間接感知方式で電流補正を行うことができる駆動ＩＣ及び光源駆動方法と、この駆動ＩＣを含む映像表示装置及びバックライトユニット、並びにマルチチャンネル駆動システムを提供する。【解決手段】本発明の駆動ＩＣは、テスト電圧によって基準電圧を出力する基準電圧設定回路と、負荷に流れる負荷電流に応答して負荷抵抗から出力される負荷電圧と基準電圧とを比較し、該比較結果に基づいて負荷電流を一定に維持させる負荷電流制御部と、を含む。【選択図】図１
2010262929.tif 000002
【特許請求の範囲】
【請求項１】
テスト電圧によって基準電圧を出力する基準電圧設定回路と、
負荷に流れる負荷電流に応答して負荷抵抗から出力される負荷電圧と前記基準電圧とを比較し、該比較結果に基づいて前記負荷電流を一定に維持させる負荷電流制御部と、を含むことを特徴とする駆動ＩＣ。
【請求項２】
前記駆動ＩＣは、
テスト電流に応答して前記テスト電圧を出力するテスト抵抗を更に含むことを特徴とする請求項１に記載の駆動ＩＣ。
【請求項３】
前記負荷抵抗は、並列連結された少なくとも二つの単位抵抗を含み、
前記テスト抵抗は、直列連結された少なくとも二つの単位抵抗を含むことを特徴とする請求項２に記載の駆動ＩＣ。
【請求項４】
前記テスト抵抗の抵抗値は、前記負荷抵抗の抵抗値のＮ（Ｎは、自然数）倍であることを特徴とする請求項２に記載の駆動ＩＣ。
【請求項５】
前記テスト抵抗は、前記負荷電流制御部の一部として具現されることを特徴とする請求項２に記載の駆動ＩＣ。
【請求項６】
前記負荷抵抗と前記テスト抵抗とは、半導体基板上で隣接して配列されることを特徴とする請求項２に記載の駆動ＩＣ。
【請求項７】
前記基準電圧設定回路は、前記テスト電圧と補正電圧とを比較し、該比較結果によって前記負荷電流を一定に維持するための前記負荷電流制御部を制御するための少なくとも一つの制御信号を出力する補正回路を含むことを特徴とする請求項１に記載の駆動ＩＣ。
【請求項８】
前記少なくとも一つの制御信号は、
前記補正回路から前記負荷抵抗に出力されて該負荷抵抗の抵抗値を調節するための第１電流補正制御信号と、
前記補正回路から基準電圧生成部に出力されて前記基準電圧の大きさを調節するための第２電流補正制御信号と、を含み、
前記補正回路は、前記第１電流補正制御信号と前記第２電流補正制御信号とのうちの何れか一つを出力することを特徴とする請求項７に記載の駆動ＩＣ。
【請求項９】
前記駆動ＩＣは、
前記少なくとも一つの制御信号から複数のスイッチング信号を出力するためのスイッチコントローラと、
それぞれが複数の第１ユニット抵抗のそれぞれに接続される複数のスイッチを含み、前記複数のスイッチング信号のそれぞれによってスイッチング動作し、前記負荷抵抗の抵抗値を調節するためのスイッチング部と、を更に含むことを特徴とする請求項７に記載の駆動ＩＣ。
【請求項１０】
前記テスト電圧は、前記テスト電流に応答して前記テスト抵抗から出力される実質的な出力値であり、
前記補正電圧は、前記テスト電流と前記テスト抵抗の抵抗値とによって計算される理論的な出力値であることを特徴とする請求項７に記載の駆動ＩＣ。
【請求項１１】
前記負荷電流制御部は、
前記負荷電圧と前記基準電圧とを比較して該比較結果を出力する比較器と、
前記負荷に接続され、前記比較器から出力された前記比較結果によって前記負荷電流の大きさを一定に維持させる制御部と、を更に含むことを特徴とする請求項１に記載の駆動ＩＣ。
【請求項１２】
前記負荷は、複数のＬＥＤを含み、
前記駆動ＩＣは、ＬＥＤ駆動ドライバーであることを特徴とする請求項１に記載の駆動ＩＣ。
【請求項１３】
前記駆動ＩＣは、前記テスト電流を供給するために前記テスト抵抗に接続されたテスト電流源を更に含むことを特徴とする請求項２に記載の駆動ＩＣ。
【請求項１４】
前記テスト電流源は、補正終了時にオフされることを特徴とする請求項１に記載の駆動ＩＣ。
【請求項１５】
前記基準電圧設定回路は、前記基準電圧を受信するための補正回路を含むことを特徴とする請求項１に記載の駆動ＩＣ。
【請求項１６】
前記基準電圧設定回路は、前記基準電圧を出力するための基準電圧生成部を含むことを特徴とする請求項１５に記載の駆動ＩＣ。
【請求項１７】
前記基準電圧生成部は、前記補正回路に多様な電圧を出力し、前記補正回路は、前記多様な電圧を前記テスト電圧と比べるための比較器を含むことを特徴とする請求項１６に記載の駆動ＩＣ。
【請求項１８】
前記負荷電流制御部は、前記負荷電圧と前記基準電圧とを比較して比較値を出力し、前記負荷電流制御部の比較器は、前記補正回路の比較器のようなタイプであることを特徴とする請求項１７に記載の駆動ＩＣ。
【請求項１９】
映像信号をディスプレイするための映像表示部と、
前記映像表示部に光を供給するための光源と、
外部から前記光源に印加される負荷電流を一定に維持するための駆動ＩＣと、を含み、
前記駆動ＩＣは、
テスト電圧によって基準電圧を出力する基準電圧設定回路と、
前記負荷電流に応答して負荷抵抗から出力される負荷電圧と前記基準電圧とを比較し、該比較結果に基づいて前記負荷電流を一定に維持させる負荷電流制御部と、を含むことを特徴とする映像表示装置。
【請求項２０】
前記映像表示部は、大型パネル表示部であることを特徴とする請求項１９に記載の映像表示装置。
【請求項２１】
前記光源は、前記大型パネル表示部の周りに配列された複数の光源を含むことを特徴とする請求項２０に記載の映像表示装置。
【請求項２２】
前記光源は、前記大型パネル表示部に隣接してマトリックス形態に配列された複数の光源を含むことを特徴とする請求項２０に記載の映像表示装置。
【請求項２３】
前記映像表示部は、携帯用表示部であることを特徴とする請求項１９に記載の映像表示装置。
【請求項２４】
前記光源は、前記携帯用表示部の周りに配列された複数の光源を含むことを特徴とする請求項２３に記載の映像表示装置。
【請求項２５】
前記光源は、前記携帯用表示部に隣接してマトリックス形態に配列された複数の光源を含むことを特徴とする請求項２３に記載の映像表示装置。
【請求項２６】
映像表示装置のためのバックライトユニットであって、
前記映像表示装置に光を供給するための光源と、
外部から前記光源に印加される負荷電流を一定に維持するための駆動ＩＣと、を含み、
前記駆動ＩＣは、
テスト電圧によって基準電圧を出力するための基準電圧設定回路と、
前記負荷電流に応答して負荷抵抗から出力される負荷電圧と前記基準電圧とを比較し、該比較結果に基づいて前記負荷電流を一定に維持するための負荷電流制御部と、を含むことを特徴とする映像表示装置のためのバックライトユニット。
【請求項２７】
前記光源は、前記バックライトユニットの周りに配列された複数のＬＥＤを含むことを特徴とする請求項２６に記載の映像表示装置のためのバックライトユニット。
【請求項２８】
前記光源は、マトリックス形態に配列された複数のＬＥＤを含むことを特徴とする請求項２６に記載の映像表示装置のためのバックライトユニット。
【請求項２９】
前記光源は、移動型の装置のためのＬＥＤを含むことを特徴とする請求項２６に記載の映像表示装置のためのバックライトユニット。
【請求項３０】
複数の駆動ＩＣと、
テスト電圧によってソース（ｓｏｕｒｃｅ）基準電圧を供給するための基準電圧源を含み、前記複数の駆動ＩＣのそれぞれに基準電圧のそれぞれを供給するための基準電圧設定回路と、
前記複数の駆動ＩＣのそれぞれから出力された感知電圧を受信し、感知された電圧のそれぞれと前記ソース基準電圧のうちから選択されたソース基準電圧によって複数の基準電圧のそれぞれとを発生させるための補正回路と、を含むことを特徴とするマルチチャンネル駆動システム。
【請求項３１】
少なくとも一つの基準電圧源及び前記補正回路は、前記複数の駆動ＩＣに共通して用いられることを特徴とする請求項３０に記載のマルチチャンネル駆動システム。
【請求項３２】
テスト電圧によって基準電圧を補正する段階と、
補正終了時に電流ドライバーに前記基準電圧を供給する段階と、
前記電流ドライバーと共に光源を駆動する段階と、を含むことを特徴とする光源駆動方法。
【請求項３３】
前記光源駆動方法は、
補正終了時に補正を中断する段階を更に含むことを特徴とする請求項３２に記載の光源駆動方法。
【請求項３４】
前記光源駆動方法は、
前記電流ドライバー内部の抵抗に隣接してテスト電流源に接続されたテスト抵抗を用いて前記テスト電圧を生成する段階を更に含むことを特徴とする請求項３２に記載の光源駆動方法。
【請求項３５】
前記光源駆動方法は、
補正終了時に前記テスト電流源がターンオフされる段階を更に含むことを特徴とする請求項３４に記載の光源駆動方法。
【発明の詳細な説明】
【技術分野】
【０００１】
本発明は、間接感知方式で電流補正を行うことができる駆動ＩＣ（ｉｎｔｅｇｒａｔｅ  ｃｉｒｃｕｉｔ）及び光源駆動方法と、この駆動ＩＣを含む映像表示装置及びバックライトユニット（ｂａｃｋ  ｌｉｇｈｔ  ｕｎｉｔ）、並びにマルチチャンネル駆動システムに関する。
【背景技術】
【０００２】
駆動ＩＣは、光を発散するＬＥＤを活性化させるために、ＬＥＤに電流を供給するために使われる。ＬＥＤは、ＬＥＤの様々な特性、例えばＬＥＤを流れる電流の量、ＬＥＤに具現された感知抵抗の抵抗値、温度、工程などに基づいて、輝度を有する光を発散する。従って、ＬＥＤと共に使われる駆動ＩＣは、非常に高い負荷電流の正確度を要求する。
【０００３】
駆動ＩＣにおいて、非常に高い負荷電流の正確度を保証するために、補正回路（ｃａｌｉｂｒａｔｉｏｎ  ｃｉｒｃｕｉｔ）は、温度又は製造工程などによる感知抵抗、例えばＬＥＤに接続された感知抵抗の変化を補正するのに必要なものである。補正回路は、高い補正正確度を要求する。
【０００４】
従来の補正回路は、ＬＥＤに直接連結された感知抵抗を含み、直接抵抗感知方式を用いて、ＬＥＤの負荷電流を補正する。例えば、補正回路の感知抵抗は、外部からＬＥＤに供給される負荷電流が提供され、補正回路は、感知抵抗の抵抗値と負荷電流に基づいて感知電圧を出力する。
【０００５】
しかし、従来の感知抵抗は、補正回路の電力損失を最小化するために数オーム（Ω）の抵抗値を有するため、感知抵抗から出力された感知電圧は、低いレベルを有し、低いレベルの感知電圧は、補正回路でエラーを誘発する。従って、補正回路は、ＬＥＤの負荷電流を正確に補正することができない。また、感知抵抗が、ＬＥＤに直接連結されているために、ＬＥＤは、補正回路が直接抵抗感知方式を用いて電流補正を行う途中で、ターンオンしてしまうことがあり得る。
【発明の概要】
【発明が解決しようとする課題】
【０００６】
本発明は、上記従来の問題点に鑑みてなされたものであって、本発明の目的は、間接感知方式で電流補正を行うことができる駆動ＩＣ及び光源駆動方法と、この駆動ＩＣを含む映像表示装置及び映像表示装置のバックライトユニット、並びにマルチチャンネル駆動システムを提供することにある。
【課題を解決するための手段】
【０００７】
上記目的を達成するためになされた本発明の一特徴による駆動ＩＣは、テスト電圧によって基準電圧を出力する基準電圧設定回路と、負荷に流れる負荷電流に応答して負荷抵抗から出力される負荷電圧と前記基準電圧とを比較し、該比較結果に基づいて前記負荷電流を一定に維持させる負荷電流制御部と、を含む。
前記駆動ＩＣは、テスト電流に応答して前記テスト電圧を出力するテスト抵抗を更に含みうる。前記負荷抵抗は、並列連結された少なくとも二つのユニット抵抗を含み、前記テスト抵抗は、直列連結された少なくとも二つのユニット抵抗を含みうる。
前記テスト抵抗の抵抗値は、前記負荷抵抗の抵抗値のＮ（Ｎは、自然数）倍である。
前記テスト抵抗は、前記負荷電流制御部の一部分であり得る。前記負荷抵抗とテスト抵抗とは、半導体基板上で互いに隣接して配列される。
前記基準電圧設定回路は、前記テスト電圧と補正電圧とを比較し、該比較結果によって前記負荷電流制御部を制御して前記負荷電流を一定に維持するための少なくとも一つの制御信号を出力する補正回路を含みうる。前記少なくとも一つの制御信号は、前記補正回路から前記負荷抵抗に出力されて該負荷抵抗の抵抗値を調節するための第１電流補正制御信号を含み、前記補正回路から基準電圧生成部に出力されて前記基準電圧の大きさを調節するための第２電流補正制御信号を含みうる。前記補正回路は、前記第１電流補正制御信号と前記第２電流補正制御信号とのうちの何れか一つを出力する。
前記駆動ＩＣは、前記少なくとも一つの制御信号から複数のスイッチング信号を出力するためのスイッチコントローラと、それぞれが複数の第１ユニット抵抗のそれぞれに接続される複数のスイッチを含み、前記複数のスイッチング信号のそれぞれによってスイッチング動作し、前記負荷抵抗の抵抗値を調節するためのスイッチング部と、を更に含む。
前記テスト電圧は、前記テスト電流に応答して前記テスト抵抗から出力される実質的な出力値であり、前記補正電圧は、前記テスト電流と前記テスト抵抗の抵抗値とによって計算される理論的な出力値である。
前記負荷電流制御部は、前記負荷電圧と前記基準電圧とを比較して該比較結果を出力する比較器と、前記負荷に接続され、前記比較器から出力された前記比較結果によって前記負荷電流の大きさを一定に維持させる制御部と、を更に含む。
前記負荷は、複数のＬＥＤを含み、前記駆動ＩＣは、ＬＥＤ駆動ドライバーである。前記駆動ＩＣは、前記テスト電流を供給するために前記テスト抵抗に接続されたテスト電流源を更に含む。前記テスト電流源は、補正終了時にターンオフされる。
前記基準電圧設定回路は、前記基準電圧を受信するための補正回路を含みうる。前記基準電圧設定回路は、前記基準電圧を出力するための基準電圧生成部を含みうる。前記基準電圧生成部は、前記補正回路に多様な電圧を出力し、前記補正回路は、前記多様な電圧を前記テスト電圧と比べるための比較器を含む。前記負荷電流制御部は、前記基準電圧と前記負荷電圧とを比較して前記比較結果を出力するための比較器を含み、前記負荷電流制御部の前記比較器は、前記補正回路の比較器のようなタイプの比較器である。
【０００８】
上記目的を達成するためになされた本発明の一特徴による映像表示装置は、映像信号をディスプレイするための映像表示部と、前記映像表示部に光を供給するための光源と、外部から前記光源に印加される負荷電流を一定に維持するための駆動ＩＣと、を含み、前記駆動ＩＣは、テスト電圧によって基準電圧を出力する基準電圧設定回路と、前記負荷電流に応答して負荷抵抗から出力される負荷電圧と前記基準電圧とを比較し、該比較結果に基づいて前記負荷電流を一定に維持させる負荷電流制御部と、を含む。
前記映像表示部は、大型パネル表示部であり得る。前記光源は、前記大型パネル表示部の周りに配列された複数の光源であるか、前記大型パネル表示部に隣接したマトリックス形態に配列された複数の光源であり得る。
前記映像表示部は、携帯用表示部であり得る。前記光源は、前記携帯用表示部の周りに配列された複数の光源であるか、前記携帯用表示部に隣接したマトリックス形態に配列された複数の光源であり得る。
【０００９】
上記目的を達成するためになされた本発明の一特徴による映像表示装置のためのバックライトユニットは、前記映像表示装置に光を供給するための光源と、外部から前記光源に印加される負荷電流を一定に維持するための駆動ＩＣと、を含み、前記駆動ＩＣは、テスト電圧によって基準電圧を出力するための基準電圧設定回路と、前記負荷電流に応答して負荷抵抗から出力される負荷電圧と前記基準電圧とを比較し、該比較結果に基づいて前記負荷電流を一定に維持させる負荷電流制御部と、を含む。
一実施形態において、前記光源は、前記バックライトユニットの周りに配列された複数のＬＥＤを含む。他の実施形態において、前記光源は、マトリックス形態に配列された複数のＬＥＤを含む。
【００１０】
上記目的を達成するためになされた本発明の一特徴によるマルチチャンネル駆動システムは、複数の駆動ＩＣと、テスト電圧によってソース（ｓｏｕｒｃｅ）基準電圧を供給するための基準電圧源を含み、前記複数の駆動ＩＣのそれぞれに基準電圧のそれぞれを供給するための基準電圧設定回路と、前記複数の駆動ＩＣのそれぞれから出力された感知電圧を受信し、感知された電圧のそれぞれと前記ソース基準電圧のうちから選択されたソース基準電圧によって複数の基準電圧のそれぞれとを発生させるための補正回路と、を含む。少なくとも一つの基準電圧源及び前記補正回路は、前記複数の駆動ＩＣに共通して用いられる。
【００１１】
上記目的を達成するためになされた本発明の一特徴による光源駆動方法は、テスト電圧によって基準電圧を補正する段階と、補正終了時に電流ドライバーに前記基準電圧を供給する段階と、前記電流ドライバーと光源を駆動する段階と、を含む。
前記光源駆動方法は、補正終了時に補正を中断する段階を更に含みうる。前記光源駆動方法は、前記電流ドライバー内の抵抗に隣接してテスト電流源に接続されたテスト抵抗を用いて前記テスト電圧を生成する段階を更に含みうる。
前記テスト電流源は、補正終了時にターンオフされうる。
【発明の効果】
【００１２】
本発明の駆動ＩＣによれば、間接抵抗感知方式で負荷に流れる負荷電流が一定になるように制御できる電流補正動作を行うことで、電流補正の正確度を向上させることができ、電流補正動作で消耗される電力を減少させることができる。
【図面の簡単な説明】
【００１３】
【図１】本発明の一実施形態による駆動ＩＣを概略的に示すブロック図である。
【図２】本発明の他の実施形態による駆動ＩＣを概略的に示すブロック図である。
【図３】図２に示した複数のユニット抵抗を示すレイアウトである。
【図４】本発明の更に他の実施形態による駆動ＩＣを概略的に示すブロック図である。
【図５】図４に示した駆動ＩＣの基準電圧設定回路を詳細に示すブロック図である。
【図６】補正回路の一例と可変基準電圧の一例とを含む図５に示した駆動ＩＣの基準電圧設定回路を更に詳細に示すブロック図である。
【図７】本発明の一実施形態による具体的な補正回路を含む図４に示した駆動ＩＣの基準電圧設定回路を概略的に示すブロック図である。
【図８】本発明の一実施形態による具体的な基準電圧発生回路を含む図４に示した基準電圧設定回路を概略的に示すブロック図である。
【図９】図８に示した補正回路と基準電圧生成回路とに適用可能な複数の信号のタイミング図である。
【図１０】本発明の更に他の実施形態による駆動ＩＣを概略的に示すブロック図である。
【図１１】本発明の一実施形態によるマルチチャンネル駆動ＩＣを概略的に示すブロック図である。
【図１２】図１に示した駆動ＩＣの電流補正動作を示すフローチャートである。
【図１３】図１２に示したフローチャートにおける複数の波形を示す図である。
【図１４】本発明の実施形態のうちの何れか一つによる駆動ＩＣを含む映像表示装置を概略的に示すブロック図である。
【図１５】本発明の実施形態のうちの何れか一つによる駆動ＩＣを適用したエッジ型ディスプレイを使うバックライトユニットを示すブロック図である。
【図１６】本発明の実施形態のうちの何れか一つによる駆動ＩＣを適用した直接型ディスプレイを使うバックライトユニットを示すブロック図である。
【図１７】本発明の実施形態のうちの何れか一つによる駆動ＩＣ１００、１００ａ、１００ｂ、１００ｃ、又は１００ｄを適用した移動型の装置（ｍｏｂｉｌｅ  ｄｅｖｉｃｅ）に使われるバックライトユニットを示すブロック図である。
【発明を実施するための形態】
【００１４】
以下、本発明の駆動ＩＣ及び光源駆動方法と、この駆動ＩＣを含む映像表示装置及びバックライトユニット、並びにマルチチャンネル駆動システムを実施するための形態の具体例を、図面を参照しながら詳しく説明する。
【００１５】
図１は、本発明の一実施形態による駆動ＩＣ１００を概略的に示すブロック図であり、図２は、本発明の他の実施形態による駆動ＩＣ１００ａを概略的に示すブロック図であり、図３は、図２に示した複数のユニット抵抗を示すレイアウトである。
【００１６】
図１を参照すると、駆動ＩＣ１００は、負荷電流制御部１１０、及び基準電圧生成部１３０と電流補正回路１５０とを含む基準電圧設定回路を含みうる。負荷電流制御部１１０は、負荷２００に接続され、負荷２００に流れる負荷電流ＩＲを一定に維持することができる。
【００１７】
負荷２００は、複数のＬＥＤストリング（ｓｔｒｉｎｇｓ）を含み、複数のＬＥＤストリングのそれぞれは、直列に接続された複数のＬＥＤ（ＬＤ１、ＬＤ２、…ＬＤｎ）を含みうる。負荷２００は、液晶表示装置（Ｌｉｑｕｉｄ  Ｃｒｙｓｔａｌ  Ｄｉｓｐｌａｙ：ＬＣＤ）、又は有機発光ダイオード（Ｏｒｇａｎｉｃ  Ｌｉｇｈｔ  Ｅｍｉｔｔｉｎｇ  Ｄｉｏｄｅ：ＯＬＥＤ）装置のような映像表示装置の光源として使われる。負荷２００は、作動するために、ＤＣ／ＤＣコンバータ（図示せず）のような外部機器から所定の駆動電圧ＶＤＤが提供されうる。
【００１８】
負荷電流制御部１１０は、比較器１１１、制御部１１３、及び第１抵抗１１５を含みうる。比較器１１１は、基準電圧生成部１３０から出力された基準電圧Ｖｒｅｆと第１抵抗１１５から出力される負荷電圧Ｖ＿ＲＳとを比較し、該比較結果によって制御部１１３の動作を制御するための制御電圧ＶＧを出力する。ここで、第１抵抗１１５から出力される負荷電圧Ｖ＿ＲＳは、負荷２００から制御部１１３を通じて提供される負荷電流ＩＲと第１抵抗１１５との積である。
【００１９】
制御部１１３は、比較器１１１から出力された制御電圧ＶＧに基づいて、負荷２００に流れる負荷電流ＩＲを一定に維持するための電流源として作動する。制御部１１３は、トランジスタ（ｔｒａｎｓｉｓｔｏｒ）のようなスイッチング（ｓｗｉｔｃｈｉｎｇ）素子により具現可能である。比較器１１１から出力される制御電圧ＶＧは、制御部１１３のゲート端子のゲート電圧を制御する。
【００２０】
第１抵抗１１５は、負荷２００から制御部１１３を通じて供給される負荷電流ＩＲを感知し、該感知結果に基づいて、負荷電流ＩＲと第１抵抗１１５の抵抗値ＲＳとの積に相応する負荷電圧Ｖ＿ＲＳを出力する。第１抵抗１１５は、可変抵抗値を有する可変抵抗であり、補正器（ｃａｌｉｂｒａｔｏｒ）１５５から出力される制御信号、例えば第１電流補正制御信号ＣＮＴ１に基づいて、抵抗値ＲＳを調節することができる。
【００２１】
即ち、制御部１１３は、第１抵抗１１５を用いて負荷２００に流れる負荷電流ＩＲを感知し、該感知結果によって、出力される負荷電圧Ｖ＿ＲＳと基準電圧Ｖｒｅｆとを比較した結果に基づいて、制御部１１３を制御し、これにより、負荷２００に流れる負荷電流ＩＲを一定に維持することができる。
【００２２】
この際、第１抵抗１１５の抵抗値ＲＳは、駆動ＩＣ１００の使用環境、例えば温度又は湿度のような使用環境や第１抵抗１１５の製造工程などでの誤差によって変わりうる。第１抵抗１１５の抵抗値ＲＳの変化は、負荷電圧Ｖ＿ＲＳの大きさを変化させる。従って、負荷電流制御部１１０は、負荷２００に流れる負荷電流ＩＲを一定に制御することができない。
【００２３】
このような現象を防止するために、第１抵抗１１５は、電流補正回路１５０の電流補正動作によって補正器１５５から出力される第１電流補正制御信号ＣＮＴ１に基づいて、抵抗値の変化を補正することができる。このような抵抗値の補正動作は、負荷電流制御部１１０が負荷２００に流れる負荷電流ＩＲを一定に維持する。
【００２４】
一方、第１抵抗１１５は、並列に接続された複数の抵抗を含みうる。例えば、図２を参照すると、第１抵抗１１５ａは、並列に接続された複数の第１ユニット抵抗ｒｓ１、ｒｓ２、…ｒｓｎを含む。複数の第１ユニット抵抗ｒｓ１、ｒｓ２、…ｒｓｎは、複数のスイッチを含むスイッチング部１１７に接続され、スイッチング部１１７のスイッチング動作によって第１抵抗１１５ａの全体の抵抗値は変化されうる。
【００２５】
スイッチング部１１７は、電流補正回路１５０ａの補正器１５５から出力された第１電流補正制御信号ＣＮＴ１によって複数のスイッチの動作を制御することができる。即ち、図２に示した駆動ＩＣ１００ａは、スイッチコントローラ１６０を更に含み、スイッチコントローラ１６０は、補正器１５５から出力された第１電流補正制御信号ＣＮＴ１に基づいて、複数のスイッチング信号ＳＷ１、ＳＷ２、…ＳＷｎを出力することができる。
【００２６】
スイッチング部１１７は、スイッチコントローラ１６０から提供された複数のスイッチング信号ＳＷ１、ＳＷ２、…ＳＷｎによって複数のスイッチのそれぞれの動作を制御することができる。従って、第１抵抗１１５ａの全体の抵抗値は変化されうる。
【００２７】
図２では、スイッチング部１１７の複数のスイッチのそれぞれが、複数の第１ユニット抵抗ｒｓ１、ｒｓ２、…ｒｓｎのそれぞれに直列接続された例を説明するが、本発明は、これに限定されるものではない。他の実施形態において、スイッチング部１１７の複数のスイッチのそれぞれは、複数の第１ユニット抵抗ｒｓ１、ｒｓ２、…ｒｓｎのそれぞれに並列接続されることもある。
【００２８】
即ち、スイッチング部１１７の複数のスイッチのそれぞれが、複数の第１ユニット抵抗ｒｓ１、ｒｓ２、…ｒｓｎのそれぞれに直列接続された場合、スイッチコントローラ１６０から出力された複数のスイッチング信号ＳＷ１、ＳＷ２、…ＳＷｎによってスイッチング部１１７の複数のスイッチのそれぞれがオープンされた場合に第１抵抗１１５ａの全体の抵抗値は調節される。
【００２９】
スイッチング部１１７の複数のスイッチのそれぞれが、複数の第１ユニット抵抗ｒｓ１、ｒｓ２、…ｒｓｎのそれぞれに並列接続された場合、スイッチコントローラ１６０から出力された複数のスイッチング信号ＳＷ１、ＳＷ２、…ＳＷｎによってスイッチング部１１７の複数のスイッチのそれぞれがショートされた場合に第１抵抗１１５ａの全体の抵抗値は調節される。
【００３０】
再び図１を参照すると、基準電圧生成部１３０は、基準電圧Ｖｒｅｆを負荷電流制御部１１０に出力することができる。基準電圧生成部１３０は、電流補正回路１５０から出力される制御信号、例えば第２電流補正制御信号ＣＮＴ２に基づいて、基準電圧Ｖｒｅｆの大きさを調節することができる。
【００３１】
電流補正回路１５０は、テスト電流Ｉｔに基づいて生成されたテスト電圧Ｖ＿ＲＴを補正電圧Ｖｃａｌと比較し、該比較結果によって、少なくとも一つの補正信号、例えば第１電流補正制御信号ＣＮＴ１又は第２電流補正制御信号ＣＮＴ２を出力することができる。電流補正回路１５０は、テスト電流生成部１５１、第２抵抗１５３、及び補正器１５５を含みうる。
【００３２】
駆動ＩＣ１００が、電流補正動作を行う時、テスト電流生成部１５１は、所定の大きさを有するテスト電流Ｉｔを生成して出力することができる。テスト電流生成部１５１は、一つの定電流源で形成され、約１００μＡの大きさを有するテスト電流Ｉｔを出力することができる。
【００３３】
第２抵抗１５３は、テスト電流生成部１５１に接続され、テスト電流Ｉｔに基づいてテスト電圧Ｖ＿ＲＴを出力する。第２抵抗１５３の抵抗値は、第１抵抗１１５の抵抗値と同一であるか、又はＮ（Ｎは、自然数）倍であり得る。第２抵抗１５３は、テスト電流生成部１５１に直列に接続される。
【００３４】
補正器１５５は、第２抵抗１５３から出力されるテスト電圧Ｖ＿ＲＴと補正電圧Ｖｃａｌとを比べることができる。補正電圧Ｖｃａｌは、テスト電流Ｉｔと第２抵抗１５３の抵抗値との積に相応する理論的な電圧である。テスト電圧Ｖ＿ＲＴは、実質的な電圧、例えば電流補正回路１５０の作動中に第２抵抗１５３から出力される実質的な電圧である。補正器１５５は、補正電圧Ｖｃａｌとテスト電圧Ｖ＿ＲＴとの比較結果によって、少なくとも一つの制御信号、例えば第１電流補正制御信号ＣＮＴ１又は第２電流補正制御信号ＣＮＴ２を出力することができる。
【００３５】
第１電流補正制御信号ＣＮＴ１は、第１抵抗１１５の抵抗値を調節するための制御信号であり、第２電流補正制御信号ＣＮＴ２は、基準電圧生成部１３０の基準電圧Ｖｒｅｆを調節するための制御信号であり得る。
【００３６】
一方、第２抵抗１５３は、直列に接続された複数の抵抗を含みうる。例えば、図２を参照すると、第２抵抗１５３ａは、直列に接続された複数の第２ユニット抵抗ｒｔ１、ｒｔ２、…ｒｔｎを含みうる。複数の第２ユニット抵抗ｒｔ１、ｒｔ２、…ｒｔｎのそれぞれの抵抗値は、複数の第１ユニット抵抗ｒｓ１、ｒｓ２、…ｒｓｎのそれぞれの抵抗値と同一であり得る。従って、図２の第２抵抗１５３ａから出力されたテスト電圧Ｖ＿ＲＴは、第２抵抗１５３ａの全体の抵抗値、即ち複数の第２ユニット抵抗ｒｔ１、ｒｔ２、…ｒｔｎのそれぞれの抵抗値の和で表わせる第２抵抗１５３ａの全体の抵抗値とテスト電流Ｉｔの積で表わせる。ここで、第１抵抗１１５ａの複数の第１ユニット抵抗ｒｓ１、ｒｓ２、…ｒｓｎと第２抵抗１５３ａの複数の第２ユニット抵抗ｒｔ１、ｒｔ２、…ｒｔｎは、互いに隣接して形成される。
【００３７】
図２及び図３を参照すると、複数の第１ユニット抵抗ｒｓ１、ｒｓ２、…ｒｓｎと複数の第２ユニット抵抗ｒｔ１、ｒｔ２、…ｒｔｎは、一つの半導体基板１０上に、隣接して形成される。例えば、半導体基板１０の第１領域には、複数の第１ユニット抵抗ｒｓ１、ｒｓ２、…ｒｓｎが形成され、第２領域には、複数の第２ユニット抵抗ｒｔ１、ｒｔ２、…ｒｔｎが形成される。図３では、半導体基板１０に３つの第２ユニット抵抗ｒｔ１、ｒｔ２、及びｒｔ３が形成されて第２抵抗１５３ａを形成する例を示している。
【００３８】
複数の第１ユニット抵抗ｒｓ１、ｒｓ２、…ｒｓｎのそれぞれは、接続部材、例えば第１接続部材１５＿１と第２接続部材１５＿２とによって互いに並列接続され、複数のパッドＰ２とＰ４とを通じて外部、即ちスイッチング部１１７と接地ＧＮＤとの間に接続されうる（図３では、スイッチング部１１７を省略している）。複数の第２ユニット抵抗ｒｔ１、ｒｔ２、…ｒｔｎのそれぞれは、接続部材、例えば第３接続部材１５＿３と第４接続部材１５＿４とによって互いに直列接続され、複数のパッドＰ１とＰ３とを通じて外部、即ちテスト電流生成部１５１と補正器１５５との間に接続されうる。
【００３９】
一方、第１抵抗１１５ａの複数の第１ユニット抵抗ｒｓ１、ｒｓ２、…ｒｓｎのそれぞれの抵抗値は、第２抵抗１５３ａの複数の第２ユニット抵抗ｒｔ１、ｒｔ２、…ｒｔｎのそれぞれの抵抗値と同一であり得る。従って、複数の第２ユニット抵抗ｒｔ１、ｒｔ２、…ｒｔｎのそれぞれで発生する抵抗値の誤差は、複数の第１ユニット抵抗ｒｓ１、ｒｓ２、…ｒｓｎのそれぞれで発生する抵抗値の誤差と同じであると判断することができる。
【００４０】
従って、電流補正回路１５０ａの補正器１５５が、テスト電圧Ｖ＿ＲＴと補正電圧Ｖｃａｌとの比較結果によって制御信号を出力する時、複数の第２ユニット抵抗ｒｔ１、ｒｔ２、…ｒｔｎのそれぞれから抵抗値の誤差が発生し、複数の第１ユニット抵抗ｒｓ１、ｒｓ２、…ｒｓｎのそれぞれからも、同じ抵抗値の誤差が発生したと判断することができる。従って、補正器１５５は、第１電流補正制御信号ＣＮＴ１又は第２電流補正制御信号ＣＮＴ２を用いて第１抵抗１１５ａの抵抗値を調節するか、又は基準電圧Ｖｒｅｆの大きさを調節することで電流補正動作を行うことができる。
【００４１】
即ち、図１及び図２に示した電流補正回路１５０、１５０ａは、別途の領域に形成されたテスト電流生成部１５１と第２抵抗１５３、１５３ａとを用いて駆動ＩＣ１００、１００ａの電流補正動作を行うことによって、従来の駆動ＩＣ（図示せず）が、負荷電流を用いて電流補正動作を行うに当たって発生する負荷、例えば多数のＬＥＤ（ＬＤ１、ＬＤ２、…ＬＤｎ）のターンオン現象を防止することができる。また、図２に示した第２抵抗１５３ａは、複数の第２ユニット抵抗ｒｔ１、ｒｔ２、…ｒｔｎのそれぞれが直列に接続されて形成されるために、第１抵抗１１５ａ、即ち、複数の第１ユニット抵抗ｒｓ１、ｒｓ２、…ｒｓｎのそれぞれが並列に接続されて形成された第１抵抗１１５ａに比べて大きな抵抗値を有しうる。
【００４２】
従って、電流補正回路１５０ａのテスト電流生成部１５１が、小さなテスト電流Ｉｔを生成して出力しても、第２抵抗１５３ａは、大きな抵抗値によって大きなテスト電圧Ｖ＿ＲＴを補正器１５５に出力することができる。従って、電流補正回路１５０ａは、駆動ＩＣ１００ａが電流補正動作を行うことで消耗する電力を減少させうる。
【００４３】
図４は、本発明の更に他の実施形態による駆動ＩＣ１００ｂを概略的に示すブロック図である。駆動ＩＣ１００ｂは、負荷電流制御部１１０ｂ及び基準電圧設定回路１７０を含む。図５に示したように、基準電圧設定回路１７０は、基準電圧発生回路１９０（図１の基準電圧生成部１３０に相当）と補正回路１８０とを含みうる。負荷電流制御部１１０ｂは、負荷２００に接続される。
【００４４】
図１及び図２に示した実施形態による駆動ＩＣ１００、１００ａとは異なって、第１抵抗１１５と第２抵抗１５３は、半導体基板（図示せず）上で実質的に同一の部分に互いに隣接して配列されうる。
【００４５】
即ち、第２抵抗１５３は、第１抵抗１１５のレプリカ（ｒｅｐｌｉｃａ）であり、半導体基板上で第１抵抗１１５に隣接して配列されうる。本実施形態において、第１抵抗１１５と第２抵抗１５３は、実質的に同一の抵抗値を有し、実質的に同一の特性、例えば同一の製造工程条件とスペック（ｓｐｅｃｉｆｉｃａｔｉｏｎｓ）下で、第１抵抗１１５と第２抵抗１５３とを製造することによって、温度変化などによる同一の抵抗値の変化を有しうる。
【００４６】
また、第１抵抗は、図２に示した第１抵抗１１５ａとして具現可能であり、第２抵抗は、図２に示した第２抵抗１５３ａとして具現可能である。図２に示したように、第１抵抗１１５ａと第２抵抗１５３ａとで形成される抵抗は、同一の抵抗値を有して同一の条件下で形成され、これらの抵抗は、第１抵抗１１５ａのように並列に接続され、第２抵抗１５３ａのように直列に接続されうる。この際、負荷電流制御部１１０ｂは、図２に示したスイッチング部１１７を含みうる。
【００４７】
図４を再び参照すると、第１抵抗１１５と第２抵抗１５３は、半導体基板上の同一の領域に互いに隣接して具現可能であり、同一の物質として具現可能であり、同一の工程条件下で共に製造され、同一のパターン又は大きさを有しうる。従って、第１抵抗１１５と第２抵抗１５３との環境の変化、例えば湿度の変化又は温度の変化があっても、第１抵抗１１５と第２抵抗１５３は、同一な又は実質的に同一の抵抗値を有する。従って、同一の電流が、第１抵抗１１５と第２抵抗１５３とに供給される時、第１抵抗１１５の両端の負荷電圧Ｖ＿ＲＳと第２抵抗１５３の両端のテスト電圧Ｖ＿ＲＴ、又はこれらの間の関係は、第１抵抗１１５と第２抵抗１５３との周りの環境にもかかわらず、完全に又は実質的に同一であり得る。
【００４８】
第１抵抗１１５と第２抵抗１５３とを互いに隣接して提供することによって、第２抵抗１５３から出力されたテスト電圧Ｖ＿ＲＴは、効果的に第１抵抗１１５から出力された負荷電圧Ｖ＿ＲＳを基準電圧設定回路１７０に供給することができる。
【００４９】
そうすると、基準電圧設定回路１７０は、負荷電流制御部１１０ｂから供給されたテスト電圧Ｖ＿ＲＴに基づいて、基準電圧Ｖｒｅｆを発生させうる。
【００５０】
図５は、図４に示した駆動ＩＣの基準電圧設定回路１７０を詳細に示すブロック図である。図５を参照すると、基準電圧設定回路１７０は、補正回路１８０及び／又は基準電圧発生回路１９０を含む。図４に示した電流源１５１と第２抵抗１５３とに基づいて発生したテスト電圧Ｖ＿ＲＴは、補正回路１８０に供給される。駆動ＩＣ１００ｂが作動する間に、例えば駆動ＩＣ１１０ｂの動作の初期区間の間に、補正回路１８０は、補正動作を行うために、テスト電圧Ｖ＿ＲＴを利用できる。
【００５１】
基準電圧発生回路１９０を含む実施形態で、基準電圧発生回路１９０は、可変基準電圧Ｖｓｏｕｒｃｅを補正回路１８０に供給することができる。可変基準電圧Ｖｓｏｕｒｃｅは、テスト電圧Ｖ＿ＲＴの電圧レベルを決定するために、補正回路１８０によって利用される。基準電圧信号Ｓ０〜Ｓｎ−１と制御信号Ｃｏｎｔｒｏｌは、テスト電圧Ｖ＿ＲＴ及び／又は可変基準電圧Ｖｓｏｕｒｃｅに基づいて、補正機能に相応することができる。補正回路１８０は、基準電圧信号Ｓ０〜Ｓｎ−１と制御信号Ｃｏｎｔｒｏｌとを基準電圧発生回路１９０に供給する。
【００５２】
このような実施形態で、基準電圧発生回路１９０は、基準電圧信号Ｓ０〜Ｓｎ−１と制御信号Ｃｏｎｔｒｏｌとを用いて基準電圧Ｖｒｅｆを生成し、該生成された基準電圧Ｖｒｅｆを図４に示した負荷電流制御部１１０ｂの比較器１１１に出力する。
【００５３】
図６は、補正回路１８０の一例と可変基準電圧の一例とを含む図５に示した駆動ＩＣの基準電圧設定回路１７０を更に詳細に示すブロック図である。図４〜図６を参照すると、補正回路１８０は、比較器１８２を含む。テスト電圧Ｖ＿ＲＴと可変基準電圧Ｖｓｏｕｒｃｅのそれぞれは、比較器１８２の入力端子のそれぞれに供給される。上述したように、補正回路１８０は、テスト電圧Ｖ＿ＲＴの電圧レベルを決定するために、可変基準電圧Ｖｓｏｕｒｃｅを利用する。本実施形態において、負荷電流制御部１１０ｂの比較器１１１と補正回路１８０の比較器１８２は、同一の仕様と特徴とを有することができ、ノイズ（ｎｏｉｓｅ）除去効果を得ることができ、補正エラー（ｃａｌｉｂｒａｔｉｏｎ  ｅｒｒｏｒ）を減らすか、最小化することができる。
【００５４】
比較器１８２は、テスト電圧Ｖ＿ＲＴと可変基準電圧Ｖｓｏｕｒｃｅとの比較結果に基づいて、ハイレベル（ｈｉｇｈ  ｌｅｖｅｌ）を有する信号又はローレベル（ｌｏｗ  ｌｅｖｅｌ）を有する信号を出力することができる。もし、テスト電圧Ｖ＿ＲＴと可変基準電圧Ｖｓｏｕｒｃｅとが同じレベルを有するならば、比較器１８２は、ハイレベルを有する信号を出力する。もし、テスト電圧Ｖ＿ＲＴと可変基準電圧Ｖｓｏｕｒｃｅとが同じレベルを有していなければ、比較器１８２は、ローレベルを有する信号を出力するが、可変基準電圧Ｖｓｏｕｒｃｅのレベルは、図６に示したように、順次に増加し、比較器１８２は、他の比較を行う。可変基準電圧Ｖｓｏｕｒｃｅの比較と、順次に増加するような動作は、テスト電圧Ｖ＿ＲＴと可変基準電圧Ｖｓｏｕｒｃｅとが同一の電圧を有するまで反復され、テスト電圧Ｖ＿ＲＴのレベルが決定される。
【００５５】
上述したように、補正回路１８０は、テスト電圧Ｖ＿ＲＴの決定されたレベルに基づいて、基準電圧信号Ｓ０〜Ｓｎ−１と制御信号Ｃｏｎｔｒｏｌとを生成し、これらを基準電圧発生回路１９０に供給する。このような実施形態で、基準電圧生成回路１９０は、基準電圧信号Ｓ０〜Ｓｎ−１と制御信号Ｃｏｎｔｒｏｌとを用いて基準電圧Ｖｒｅｆを生成し、該生成された基準電圧Ｖｒｅｆを図４の負荷電流制御部１１０ｂの比較器１１１に出力する。
【００５６】
図７は、本発明の一実施形態による具体的な補正回路１８０を含む図４に示した駆動ＩＣの基準電圧設定回路１７０を概略的に示すブロック図である。図４及び図７を参照すると、補正回路１８０は、比較器１８２以外にレベル検出及び制御回路１８４、カウンター（ｃｏｕｎｔｅｒ）１８６、及びレジスタ（ｒｅｇｉｓｔｅｒ）１８８を含む。カウンター１８６は、Ｎビット（ｂｉｔ）カウンターであり、レジスタ１８８は、Ｎビットレジスタである。上述したように、比較器１８２は、可変基準電圧Ｖｓｏｕｒｃｅとテスト電圧Ｖ＿ＲＴとの比較結果に基づいて、ハイレベル信号又はローレベル信号を出力する。図７を参照すると、レベル検出及び制御回路１８４は、比較器１８２から出力された出力信号を受信することができ、比較器１８２の出力信号のレベルに基づいて、レベル検出及び制御回路１８４は、カウンター１８６の動作を制御することができる。レベル検出及び制御回路１８４は、比較器１８２の出力信号のレベルに基づいて、制御信号Ｃｏｎｔｒｏｌを基準電圧発生回路１９０に供給する。
【００５７】
カウンター１８６は、比較器１８２によって行われた比較回数をカウントすることができる。カウンター１８６によってカウントされた比較回数は、レジスタ１８８に保存することができる。基準電圧発生回路１９０には、レジスタ１８８に保存された比較回数を基準電圧信号Ｓ０〜Ｓｎ−１として供給することができる。基準電圧信号Ｓ０〜Ｓｎ−１は、基準電圧発生回路１９０によって基準電圧Ｖｒｅｆを設定するために利用されることがあり、基準電圧Ｖｒｅｆは、負荷電流制御部１１０ｂに提供される。
【００５８】
図８は、基準電圧発生回路１９０を含む図４に示した基準電圧設定回路１７０を概略的に示すブロック図である。図８を参照すると、基準電圧発生回路１９０は、スイッチング回路１９１、デジタルアナログ変換器（ＤＡＣ）１９３、演算増幅器１９５、１９７、及び基準電圧源１９９を含みうる。基準電圧源１９９は、複数の基準電圧を発生し、これらを、演算増幅器１９５、１９７を通じてＤＡＣ１９３に供給する。
【００５９】
基準電圧源１９９は、電圧源のパッド（図示せず）を通じて接続された外部抵抗と基準電流によって高基準電圧ＶＲＥＦ＿Ｈと低基準電圧ＶＲＥＦ＿Ｌとを生成することができる。例えば外部抵抗と基準電流とのうちの少なくとも一つを変更することによって、高基準電圧ＶＲＥＦ＿Ｈと低基準電圧ＶＲＥＦ＿Ｌのレベルは変更されうる。基準電流は、基準電圧源１９９の内部の電流源（図示せず）によって生成されうる。
【００６０】
高基準電圧ＶＲＥＦ＿Ｈと低基準電圧ＶＲＥＦ＿Ｌは、補正する電圧散布範囲を含んだ値に設定しうる。例えば、ＤＡＣ１９３で補正する電圧散布範囲が、入力された電圧（例えば、誤差が０％である時の電圧、例えばＶＲＥＦ）の±５０％である時、高基準電圧ＶＲＥＦ＿ＨはＶＲＥＦの１．５倍、即ち、ＶＲＥＦ＋（ＶＲＥＦ×０．５）に設定することができ、低基準電圧ＶＲＥＦ＿ＬはＶＲＥＦの０．５倍、即ち、ＶＲＥＦ−（ＶＲＥＦ×０．５）に設定しうる。
【００６１】
ＤＡＣ１９３は、補正回路１８０のレジスタ１８８から供給された基準電圧信号Ｓ０〜Ｓｎ−１に基づいて、基準電圧源１９９から供給された可変基準電圧のうちの何れか一つを基準電圧として選択することができる。補正は、テスト電圧Ｖ＿ＲＴが可変基準電圧Ｖｓｏｕｒｃｅと同一になるまで行われる。本実施形態で、Ｖ＿ＲＴ＝Ｖｓｏｕｒｃｅである時、補正は終了し、選択された可変基準電圧Ｖｓｏｕｒｃｅは、これ以上補正回路１８０に供給されない。このような実施形態で、補正が終了する時、可変基準電圧Ｖｓｏｕｒｃｅを供給するための補正回路１８０と基準電圧発生回路１９０との間の経路は分離される。
【００６２】
補正が終了する時、基準電圧源１９９から選択された基準電圧信号は、スイッチング回路１９１に供給される。スイッチング回路１９１は、ＤＡＣ１９３によって選択された基準電圧信号を負荷電流制御部１１０ｂに供給する。特に、基準電圧発生回路１９０は、補正回路１８０のレベル検出及び制御回路１８４から供給される制御信号Ｃｏｎｔｒｏｌに基づいて、スイッチング回路１９１を通じて負荷電流制御部１１０ｂの比較器１１１に選択された基準電圧信号を供給することができる。
【００６３】
スイッチング回路１９１は、スイッチング回路１９１と補正回路１８０との間、又はスイッチング回路１９１と負荷電流制御部１１０ｂとの間の経路を選択的にスイッチングするための複数のスイッチを含みうる。特に、スイッチング回路１９１の複数のスイッチは、スイッチング回路１９１と補正回路１８０との間の経路と、スイッチング回路１９１と負荷電流制御部１１０ｂとの間の経路とを選択的に制御することができる。
【００６４】
図９は、図８に示した補正回路１８０と基準電圧発生回路１９０とに適用可能な複数の信号のタイミング図である。図９を参照すると、補正サイクル（ｃｙｃｌｅ）が始まる時、補正制御信号ＣＡＬ＿ＯＵＴはハイ（ｈｉｇｈ）であり、第１補正イネーブル（ｅｎａｂｌｅ）信号ＣＡＬ＿ＥＮ１はハイであり、第１補正イネーブルバー（ｅｎａｂｌｅ  ｂａｒ）信号ＣＡＬ＿ＥＮＢ１はロー（ｌｏｗ）であり、第２補正イネーブルバー信号ＣＡＬ＿ＥＮＢ２はローである。補正制御信号ＣＡＬ＿ＯＵＴは、レベル検出及び制御回路１８４から基準電圧発生回路１９０に供給される制御信号Ｃｏｎｔｒｏｌに相応することができる。補正サイクルの間に第２補正イネーブルバー信号ＣＡＬ＿ＥＮＢ２がローである時、スイッチング回路１９１の相応するスイッチは閉鎖され、その時間の間、ＤＡＣ１９３と接地との間に経路が存在する。
【００６５】
また、補正サイクルの間に第１補正イネーブル信号ＣＡＬ＿ＥＮ１がハイである時、スイッチング回路１９１の相応するスイッチは閉鎖され、その時間の間、比較器１８２に可変基準電圧Ｖｓｏｕｒｃｅを供給するためのＤＡＣ１９３と補正回路１８０との間の経路が形成される。
【００６６】
第１補正イネーブル信号ＣＡＬ＿ＥＮＢ１がローである時、スイッチ回路１９１の相応するスイッチは開放される。特に、上述したように、補正動作時に、比較器１８２は、可変基準電圧Ｖｓｏｕｒｃｅとテスト電圧Ｖ＿ＲＴとの間の比較に基づいて、ハイレベル信号又はローレベル信号を出力することができる。図８を参照すると、レベル検出及び制御回路１８４は、比較器１８２から出力された信号を受信し、該受信された信号に基づいて、カウンター１８６の動作を制御することができる。レベル検出及び制御回路１８４は、比較器１８２の出力信号のレベルに基づいて、図９に示した補正制御信号ＣＡＬ＿ＯＵＴに相応する制御信号Ｃｏｎｔｒｏｌを基準電圧発生回路１９０に供給することができる。
【００６７】
上述したように、カウンター１８６は、比較器１８２によって行われた比較回数をカウントすることができる。カウンター１８６によってカウントされた比較回数は、レジスタ１８８に保存することができる。基準電圧発生回路１９０には、レジスタ１８８に保存された比較回数を基準電圧信号Ｓ０〜Ｓｎ−１として供給されうる。特に、図９を参照すると、それぞれの基準電圧信号Ｓ０〜Ｓｎ−１に相応するそれぞれのカウント信号ＣＮＴ＜０＞〜ＣＮＴ＜７＞は、補正回路１８０のレジスタ１８８からクロック信号ＣＬＫに基づいて、基準電圧発生回路１９０に供給されうる。基準電圧信号Ｓ０〜Ｓｎ−１は、負荷電流制御部１１０ｂに供給される基準電圧Ｖｒｅｆを設定するために、基準電圧発生回路１９０によって利用されうる。
【００６８】
補正サイクルが終了する時、補正制御信号ＣＡＬ＿ＯＵＴはローになり、第１補正イネーブル信号ＣＡＬ＿ＥＮ１はローになり、第１補正イネーブルバー信号ＣＡＬ＿ＥＮＢ１はハイになり、第２補正イネーブルバー信号ＣＡＬ＿ＥＮＢ２はハイになる。図９を参照すると、補正サイクル後に第２補正イネーブルバー信号ＣＡＬ＿ＥＮＢ２がハイになる時、スイッチング回路１９１の相応するスイッチは開放される。また、補正サイクル後に第１補正イネーブル信号ＣＡＬ＿ＥＮ１はローになり、スイッチング回路１９１の相応するスイッチは開放され、その時間の間、比較器１８２に可変基準電圧Ｖｓｏｕｒｃｅを供給するためのＤＡＣ１９３と補正回路１８０との間の経路は存在しない。第１補正イネーブルバー信号ＣＡＬ＿ＥＮＢ１がハイになれば、スイッチング回路１９１の相応するスイッチは閉鎖され、その時間の間、ＤＡＣ１９３と負荷電流制御部１１０ｂの比較器１１１との間に経路が存在する。従って、選択された基準電圧信号Ｖｒｅｆは、補正が終了した後に負荷電流制御部１１０ｂの比較器１１１に供給される。
【００６９】
図１０は、本発明の更に他の実施形態による駆動ＩＣ１００ｃを概略的に示すブロック図である。図１０に示した駆動ＩＣ１００ｃは、図４に示した駆動ＩＣ１００ｂに実質的に相応する。従って、図１０に示した駆動ＩＣ１００ｃと図４に示した駆動ＩＣ１００ｂとの差を記述する。
【００７０】
図４に示した駆動ＩＣ１００ｂは、負荷電圧Ｖ＿ＲＳが間接的に感知される間接感知方式の一実施形態を示す一方、図１０に示した駆動ＩＣ１００ｃは、負荷電圧Ｖ＿ＲＳが直接的に感知される直接感知方式の一実施形態を示す。図１０を参照すると、駆動ＩＣ１００ｃで負荷電圧Ｖ＿ＲＳは、負荷電流制御部１１０ｃの比較器１１１に直接供給されると共に、負荷電圧Ｖ＿ＲＳは、図４の第２抵抗１５３に相応する抵抗を介さずに補正回路１８０の比較器１８２に直接供給される。
【００７１】
補正回路１８０と基準電圧発生回路１９０は、図１０を参照して説明したように作動するが、図４の間接的に感知された負荷電圧Ｖ＿ＲＳの代わりに、直接的に感知された負荷電圧Ｖ＿ＲＳを、即ち図４の直接的に感知されたテスト電圧Ｖ＿ＲＴとして使用できる。勿論、第１抵抗１１５は、図２に示したスイッチング部１１７と共に第１抵抗１１５ａを用いて具現可能である。
【００７２】
図１１は、本発明の一実施形態によるマルチチャンネル駆動ＩＣ１００ｄを概略的に示すブロック図である。図１１を参照すると、マルチチャンネル駆動ＩＣ１００ｄは、基準電圧設定回路１７０ａを含みうる。複数の電流ドライバー１１０ｃ＿１〜１１０＿ｎは、負荷２００と基準電圧設定回路１７０ａとの間に具現される。
【００７３】
複数のＬＥＤは、複数のストリンググループ２０１−１、２０１−２、…、２０１−ｎに配列され、それぞれのストリンググループは、直列に接続された２つ以上のＬＥＤを含む。それぞれの電流ドライバー１１０ｃ＿１〜１１０ｃ＿ｎは、それぞれのストリンググループ２０１−１、２０１−２、…、２０１−ｎに接続される。
【００７４】
基準電圧設定回路１７０ａは、補正回路１８０ａと基準電圧発生回路１９０ａとを含む。補正回路１８０ａは、複数のストリンググループ２０１−１、２０１−２、…、２０１−ｎのうちの、一つ、一つ以上、又は全てによって共通的に利用されうる。基準電圧設定回路１７０ａは、複数の基準電圧ＶＲＥＦ１、ＶＲＥＦ２、…、ＶＲＥＦｎを複数の電流ドライバー１１０ｃ＿１〜１１０ｃ＿ｎに供給するために、基準電圧発生回路１９０ａと複数の電流ドライバー１１０ｃ＿１〜１１０ｃ＿ｎの間の接続を提供するための複数のスイッチを含むチャンネルスイッチング回路１７５とを含む。
【００７５】
また、基準電圧設定回路１７０ａは、複数の電流ドライバー１１０ｃ＿１〜１１０ｃ＿ｎから出力された複数の感知電圧Ｖｓｅｎｓｅ１、Ｖｓｅｎｓｅ２、…、Ｖｓｅｎｓｅｎをテスト電圧Ｖ＿ＲＴとして供給するために、補正回路１８０ａと複数の電流ドライバー１１０ｃ＿１〜１１０ｃ＿ｎの間の接続を提供するための複数のスイッチを含むチャンネルスイッチング回路１７７とを更に含む。
【００７６】
各チャンネルスイッチング回路１７５、１７７に具現されたそれぞれのスイッチは、それぞれの補正イネーブル信号ＣＡＬ＿ＣＨ−１＿ＥＮ、ＣＡＬ＿ＣＨ−２＿ＥＮ、…、ＣＡＬ＿ＣＨ−ｎ＿ＥＮに応答して制御される。
【００７７】
基準電圧発生回路１９０ａは、基準電圧源１９９、複数のＮビットＤＡＣ１９３＿１〜１９３＿ｎ、及びスイッチング回路１９１ａを含む。スイッチング回路１９１ａは、各基準電圧ＶＲＥＦ１、ＶＲＥＦ２、…、ＶＲＥＦｎのそれぞれに相応する可変基準電圧Ｖｓｏｕｒｃｅを補正回路１８０ａに提供するために、各補正イネーブル信号ＣＡＬ＿ＣＨ−１＿ＥＮ、ＣＡＬ＿ＣＨ−２＿ＥＮ、…、ＣＡＬ＿ＣＨ−ｎ＿ＥＮに応答して制御される複数のチャンネルスイッチを含む。基準電圧源１９９は、複数のストリンググループ２０１−１、２０１−２、…、２０１−ｎのうちの、一つ、一つ以上、又は全てによって共通的に利用されうる。
【００７８】
補正回路１８０ａは、比較器１８２、レベル検出及び制御回路１８４、カウンター１８６、及び複数のＮビットレジスタ／メモリ１８８＿１〜１８８＿ｎ、及びスイッチング回路１８９を含む。スイッチング回路１８９は、複数のスイッチを含み、複数のスイッチのそれぞれは、複数の補正イネーブル信号ＣＡＬ＿ＣＨ−１＿ＥＮ、ＣＡＬ＿ＣＨ−２＿ＥＮ、…、ＣＡＬ＿ＣＨ−ｎ＿ＥＮのそれぞれに応答して、カウンター１８６の出力を複数のレジスタ１８８−１〜１８８−ｎのそれぞれに供給する。比較器１８２、レベル検出及び制御回路１８４、及びカウンター１８６は、複数のストリンググループ２０１−１、２０１−２、…、２０１−ｎのうちの、一つ、一つ以上、又は全てによって共通的に利用されうる。
【００７９】
図１２は、図１に示した駆動ＩＣの電流補正動作を示すフローチャートであり、図１３は、図１２に示したフローチャートにおける複数の波形を示す図である。
【００８０】
図１２では、説明の便宜上、図１に示した駆動ＩＣ１００の電流補正動作によるフローチャートを説明するが、フローチャートは、上述した駆動ＩＣ１００〜１００ｄのうちの、如何なる駆動ＩＣの電流補正動作でも、同様に適用可能である。図１及び図１２を参照すると、駆動ＩＣ１００が電流補正動作モードで動作する時、電流補正回路１５０のテスト電流生成部１５１は、テスト電流Ｉｔを出力し、第２抵抗１５３は、テスト電流Ｉｔによってテスト電圧Ｖ＿ＲＴを出力する（ステップＳ１０）。
【００８１】
テスト電圧Ｖ＿ＲＴは、補正器１５５に入力され、補正器１５５は、テスト電圧Ｖ＿ＲＴと補正電圧Ｖｃａｌとを比べる（ステップＳ２０）。補正器１５５による比較結果、テスト電圧Ｖ＿ＲＴが補正電圧Ｖｃａｌと同一であれば（例えば、誤差範囲内でテスト電圧Ｖ＿ＲＴと補正電圧Ｖｃａｌとが同一であると判断されれば）、電流補正回路１５０は、第２抵抗１５３で抵抗値の誤差が発生していないと判断し、電流補正動作を終了する（ステップＳ４０）。
【００８２】
電流補正回路１５０の電流補正動作が完了すると、第１抵抗１１５も抵抗値の誤差が発生していないものであるために、駆動ＩＣ１００は、補正されていない基準電圧Ｖｒｅｆと第１抵抗１１５から出力された負荷電圧Ｖ＿ＲＳとの比較結果から出力される制御電圧ＶＧを用いて負荷２００に流れる負荷電流ＩＲを一定に維持させることができる。一方、補正器１５５の比較結果、テスト電圧Ｖ＿ＲＴが補正電圧Ｖｃａｌと異なれば（例えば、テスト電圧Ｖ＿ＲＴと補正電圧Ｖｃａｌとが誤差範囲を外れるように差があれば）、補正器１５５は、比較結果によって、第１電流補正制御信号ＣＮＴ１又は第２電流補正制御信号ＣＮＴ２を出力して電流補正動作を行う（ステップＳ３０）。
【００８３】
補正器１５５から出力された第１電流補正制御信号ＣＮＴ１は、第１抵抗１１５又は図２に示したスイッチコントローラ１６０に提供されて第１抵抗１１５の抵抗値を調節することができる。補正器１５５から出力された第２電流補正制御信号ＣＮＴ２は、基準電圧生成部１３０に提供されて基準電圧Ｖｒｅｆの大きさを調節することができる。
【００８４】
例えば、補正器１５５が、第１電流補正制御信号ＣＮＴ１又は第２電流補正制御信号ＣＮＴ２を出力することは、第２抵抗１５３に抵抗値の誤差が発生したということを意味する。従って、補正器１５５は、第１電流補正制御信号ＣＮＴ１を出力して第２抵抗１５３に発生した抵抗値の誤差と同様に発生する第１抵抗１１５の抵抗値の誤差を補正するか、又は第２電流補正制御信号ＣＮＴ２を出力して第１抵抗１１５の抵抗値の誤差を補正できるように基準電圧Ｖｒｅｆを補正することができる。
【００８５】
ここで、補正器１５５は、第１電流補正制御信号ＣＮＴ１と第２電流補正制御信号ＣＮＴ２とのうちの一つの制御信号のみを出力することができる。即ち、補正器１５５は、第１電流補正制御信号ＣＮＴ１を出力して電流補正動作を行うか、又は第２電流補正制御信号ＣＮＴ２を出力して電流補正動作を行うことができる。一方、駆動ＩＣ１００は、補正器１５５によって電流補正動作が行われた（ステップＳ３０）後、テスト電圧Ｖ＿ＲＴと補正電圧Ｖｃａｌとを比較する動作（ステップＳ２０）を再び行うこともできる。
【００８６】
図１、図１２、及び図１３を参照すると、時間軸ｔの時刻ｔ０で基準電圧設定回路から基準電圧Ｖｒｅｆが出力されうる。また、時間軸ｔの時刻ｔ０で第１抵抗１１５の抵抗値ＲＳ＿Ｔが測定されうる。時間軸ｔの時刻ｔ１で駆動ＩＣ１００が電流補正動作モードで作動し、補正器１５５に補正電圧Ｖｃａｌが入力される。引き続き、第２抵抗１５３は、テスト電流生成部１５１から出力されたテスト電流Ｉｔに基づいて、テスト電圧、例えば第１テスト電圧Ｖ＿ＲＴ′を補正器１５５に出力し、補正器１５５は、時間軸ｔの時刻ｔ２で第１テスト電圧Ｖ＿ＲＴ′と補正電圧Ｖｃａｌとを比較する。
【００８７】
補正器１５５の比較結果、第１テスト電圧Ｖ＿ＲＴ′が補正電圧Ｖｃａｌより第１電圧の差ΔＶ１を有する小さな大きさの電圧である場合、補正器１５５は、比較結果に基づいて、第１電流補正制御信号ＣＮＴ１又は第２電流補正制御信号ＣＮＴ２を出力することができる。第１電流補正制御信号ＣＮＴ１は、時間軸ｔの時刻ｔ２で第１抵抗１１５の抵抗値ＲＳ＿Ｔ′を調節する。例えば、第１電流補正制御信号ＣＮＴ１は、時間軸ｔの時刻ｔ２での第１抵抗１１５の抵抗値ＲＳ＿Ｔ′を時間軸ｔの時刻ｔ０で測定された第１抵抗１１５の抵抗値ＲＳ＿Ｔより第１抵抗値の差（ΔΩ１）ほど増加するように調節する。
【００８８】
第２電流補正制御信号ＣＮＴ２は、時間軸ｔの時刻ｔ２で基準電圧Ｖｒｅｆ′の大きさを調節する。例えば、第２電流補正制御信号ＣＮＴ２は、時間軸ｔの時刻ｔ２での基準電圧Ｖｒｅｆ′を時間軸ｔの時刻ｔ０で出力された第１基準電圧Ｖｒｅｆより第１電圧の差ΔＶ１′に減少するように調節する。従って、駆動電流制御部１１３は、時間軸ｔの時刻ｔ２以後に抵抗値の大きさが調節された第１抵抗１１５又は大きさが調節された基準電圧Ｖｒｅｆ′によって負荷２００に流れる負荷電流ＩＲを一定に維持することができる。
【００８９】
他の実施形態として、時間軸ｔの時刻ｔ０で基準電圧設定回路から基準電圧Ｖｒｅｆが出力されうる。また、時間軸ｔの時刻ｔ０で第１抵抗１１５の抵抗値ＲＳ＿Ｔが測定されうる。時間軸ｔの時刻ｔ１で駆動ＩＣ１００が電流補正動作モードで作動し、補正部１５５に補正電圧Ｖｃａｌが入力される。
【００９０】
引き続き、第２抵抗１５３は、テスト電流生成部１５１から出力されたテスト電流Ｉｔに基づいて、テスト電圧、例えば第２テスト電圧Ｖ＿ＲＴ″を補正器１５５に出力し、補正器１５５は、時間軸ｔの時刻ｔ２′で第２テスト電圧Ｖ＿ＲＴ″と補正電圧Ｖｃａｌとを比較する。補正器１５５の比較結果、第２テスト電圧Ｖ＿ＲＴ″が、補正電圧Ｖｃａｌより第２電圧の差ΔＶ２を有する大きな大きさの電圧である場合、補正器１５５は、比較結果に基づいて、第１電流補正制御信号ＣＮＴ１又は第２電流補正制御信号ＣＮＴ２を出力することができる。
【００９１】
第１電流補正制御信号ＣＮＴ１は、時間軸ｔの時刻ｔ２′で第１抵抗１１５の抵抗値ＲＳ＿Ｔ″を調節する。例えば、第１電流補正制御信号ＣＮＴ１は、時間軸ｔの時刻ｔ２′での第１抵抗１１５の抵抗値ＲＳ＿Ｔ″を時間軸ｔの時刻ｔ０で測定された第１抵抗１１５の抵抗値ＲＳ＿Ｔより第２抵抗値の差（ΔΩ２）ほど減少するように調節する。第２電流補正制御信号ＣＮＴ２は、時間軸ｔの時刻ｔ２′で基準電圧Ｖｒｅｆ″の大きさを調節する。例えば、第２電流補正制御信号ＣＮＴ２は、時間軸ｔの時刻ｔ２′での基準電圧Ｖｒｅｆ″を時間軸ｔの時刻ｔ０で出力された第１基準電圧Ｖｒｅｆ１より第２電圧の差ΔＶ２′に増加するように調節する。従って、駆動電流制御部１１３は、時間軸ｔの時刻ｔ２′以後に抵抗値の大きさが調節された第１抵抗１１５又は大きさが調節された基準電圧Ｖｒｅｆ″によって負荷２００に流れる負荷電流ＩＲを一定に維持することができる。
【００９２】
図１４は、本発明の実施形態のうちの何れか一つによる駆動ＩＣ１００〜１００ｄのうちの何れか一つを含む映像表示装置を概略的に示すブロック図である。
【００９３】
映像表示装置４００は、ＬＣＤ又はＯＬＥＤのような映像表示装置であり得るが、これに限定されるものではない。図１４を参照すると、映像表示装置４００は、映像表示部３００、映像制御部３５０、光源２００、及び駆動ＩＣ１００、１００ａ、１００ｂ、１００ｃ、又は１００ｄを含みうる。
【００９４】
光源２００は、上述した負荷２００のように多数の光源、例えばＬＥＤ（ＬＤ１、ＬＤ２、…ＬＤｎ）を含む。駆動ＩＣ１００、１００ａ、１００ｂ、１００ｃ、又は１００ｄは、図１〜図１３を参照して説明したものと同じであるので、詳細な説明は省略する。
【００９５】
映像表示部３００は、映像制御部３５０から提供された映像信号Ｒ′、Ｇ′、Ｂ′をディスプレイする。映像制御部３５０は、外部から提供された画像信号Ｒ、Ｇ、Ｂを映像表示部３００がディスプレイできるように処理して映像信号Ｒ′、Ｇ′、Ｂ′を生成し、該生成された映像信号Ｒ′、Ｇ′、Ｂ′を映像表示部３００に出力する。
【００９６】
光源２００は、映像表示部３００に光を供給する。光源２００は、ランプ、ＬＥＤなどが使われ、本実施形態では、一例として、多数のＬＥＤを使う光源２００を挙げる。駆動ＩＣ１００、１００ａ、１００ｂ、１００ｃ、又は１００ｄは、光源２００の多数のＬＥＤに一定の負荷電流が流れるように制御する。
【００９７】
図１５は、本発明の実施形態のうちの何れか一つによる駆動ＩＣ１００、１００ａ、１００ｂ、１００ｃ、又は１００ｄを適用したエッジ型ディスプレイ（ｅｄｇｅ  ｔｙｐｅ  ｄｉｓｐｌａｙ）５００を使うバックライトユニット（ｂａｃｋ  ｌｉｇｈｔ  ｕｎｉｔ：ＢＬＵ）５０５を示すブロック図である。図１５を参照すると、ＢＬＵ５０５は、回路基板（ｃｉｒｃｕｉｔ  ｂｏａｒｄ）５５０、複数の駆動ＩＣ、複数の光源を含む。複数の駆動ＩＣのそれぞれは、複数の光源のそれぞれを駆動する。複数の光源のそれぞれは、ＬＥＤ又はＬＥＤストリングとして具現可能である。
【００９８】
複数の駆動ＩＣのそれぞれは、既に上述した複数の駆動ＩＣ１００、１００ａ、１００ｂ、１００ｃ、又は１００ｄのそれぞれに相応する。従って、複数の駆動ＩＣ１００、１００ａ、１００ｂ、１００ｃ、又は１００ｄのそれぞれについては省略する。
【００９９】
図１５を参照すると、エッジ型ディスプレイで、複数のＬＥＤ光源は、ＢＬＵ５０５の一つのエッジ又は複数のエッジに沿って配列されうる。図示していないが、エッジ型ディスプレイは、ＢＬＵ５０５によって均一な光源が提供されるＬＣＤディスプレイパネルを更に含みうる。エッジ型ディスプレイは、直接型ディスプレイに比べて相対的に薄いディスプレイという利点がある。
【０１００】
図１６は、本発明の実施形態のうちの何れか一つによる駆動ＩＣ１００、１００ａ、１００ｂ、１００ｃ、又は１００ｄを適用した直接型ディスプレイ（ｄｉｒｅｃｔ  ｔｙｐｅ  ｄｉｓｐｌａｙ）を使うバックライトユニット６０５を示すブロック図である。
【０１０１】
図１６を参照すると、ＢＬＵ６０５は、複数の駆動ＩＣ６１０−１〜６１０−ｎとコントローラ６５０とを含む。コントローラ６５０は、複数の駆動ＩＣ６１０−１〜６１０−ｎによって感知された各電圧に基づいて、上述した基準電圧補正動作を行う基準電圧設定回路１７０（図示せず）を含みうる。ＢＬＵ６０５は、マトリックス（ｍａｔｒｉｘ）形態に具現された複数の光源６６０−１１〜６６０−ｎｎ、例えばＬＥＤを含む。複数の駆動ＩＣのそれぞれは、同一のカラムに配列された複数の光源を駆動する。複数の光源のそれぞれは、一つのＬＥＤ又は複数のＬＥＤを含む。一実施形態において、複数の駆動ＩＣ６１０−１〜６１０−ｎのそれぞれは、上述した駆動ＩＣ１００、１００ａ、１００ｂ、１００ｃ、又は１００ｄとして具現可能である。図１６に示したように、直接型ディスプレイは、複数の光源、例えばマトリックス形態に配列された複数の光源、例えば複数のＬＥＤを含みうる。図示していないが、直接型ディスプレイは、ＢＬＵ６０５によって均一な光源が提供されるＬＣＤディスプレイパネルを更に含みうる。
【０１０２】
図１７は、本発明の実施形態のうちの何れか一つによる駆動ＩＣ１００、１００ａ、１００ｂ、１００ｃ、又は１００ｄを適用した移動型の装置と共に使うバックライトユニットを示すブロック図である。特に、移動型の装置は、携帯電話機、スマートフォン（ｓｍａｒｔ  ｐｈｏｎｅ）、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ＩＴ（Ｉｎｆｏｒｍａｔｉｏｎ  Ｔｅｃｈｎｏｌｏｇｙ）装置、或いは、プロジェクター（ｐｒｏｊｅｃｔｏｒ）であり得る。
【０１０３】
図１７を参照すると、ＢＬＵ７０５は、光源、例えばＬＥＤと駆動ＩＣ７１０とを含む回路基板７５０を含む。駆動ＩＣ７１０は、光源を駆動する。光源は、一つのＬＥＤ又は複数のＬＥＤを含む。一実施形態において、複数の光源が使われる。一実施形態において、駆動ＩＣ７１０は、上述した駆動ＩＣ１００、１００ａ、１００ｂ、１００ｃ、又は１００ｄとして具現可能である。
【０１０４】
本発明の実施形態による駆動ＩＣ及びこの駆動ＩＣを含む映像表示装置は、間接抵抗感知方式で負荷に流れる負荷電流が一定になるように制御できる電流補正動作を行うことで、電流補正の正確度を向上させることができ、電流補正動作で消耗される電力を減少させうる効果がある。
【０１０５】
本発明の他の実施形態による駆動ＩＣ及び映像表示装置は、直接抵抗感知方式で負荷に流れる負荷電流が一定になるように制御できる基準電圧を生成することによって、電流補正動作で消耗される電力を減少させうる効果がある。
【０１０６】
以上、図面を参照しながら本発明の実施形態について説明したが、本発明は、上述の実施形態に限定されるものではなく、本発明の技術的範囲から逸脱しない範囲内で多様に変更実施することが可能である。
【産業上の利用可能性】
【０１０７】
本発明は、駆動ＩＣとそれを含む映像表示装置及び該映像表示装置のためのバックライトユニットに使われる。
【符号の説明】
【０１０８】
１０    半導体基板
１５＿１    第１接続部材
１５＿２    第２接続部材
１５＿３    第３接続部材
１５＿４    第４接続部材
１００、１００ａ、１００ｂ、１００ｃ、１００ｄ、６１０−１〜６１０−ｎ、７１０    駆動ＩＣ
１１０、１１０ａ、１１０ｂ、１１０ｃ    負荷電流制御部
１１１、１８２    比較器
１１３    制御部
１１５、１１５ａ    第１抵抗
１１７    スイッチング部
１５３、１５３ａ    第２抵抗
１３０    基準電圧生成部
１５０、１５０ａ    電流補正回路
１５１    テスト電流生成部
１５５    補正器
１６０    スイッチコントローラ
１７０、１７０ａ    基準電圧設定回路
１７５、１７７    チャンネルスイッチング回路
１８０、１８０ａ    補正回路
１８４    レベル検出及び制御回路
１８６    カウンター
１８８    レジスタ
１８９、１９１、１９１ａ    スイッチング回路
１９０、１９０ａ    基準電圧発生回路
１９３    ＤＡＣ（デジタルアナログ変換器）
１９５、１９７    演算増幅器
１９９    基準電圧源
２００    負荷、光源
２０１−１〜２０１−ｎ    ストリンググループ
３００    映像表示部
３５０    映像制御部
４００    映像表示装置
５０５、６０５、７０５    バックライトユニット（ｂａｃｋ  ｌｉｇｈｔ  ｕｎｉｔ：ＢＬＵ）
５５０、７５０    回路基板（ｃｉｒｃｕｉｔ  ｂｏａｒｄ）
６５０    コントローラ
６６０−１１〜６６０−ｎｎ    光源
【図１】
2010262929.tif 000003
【図２】
2010262929.tif 000004
【図３】
2010262929.tif 000005
【図４】
2010262929.tif 000006
【図５】
2010262929.tif 000007
【図６】
2010262929.tif 000008
【図７】
2010262929.tif 000009
【図８】
2010262929.tif 000010
【図９】
2010262929.tif 000011
【図１０】
2010262929.tif 000012
【図１１】
2010262929.tif 000013
【図１２】
2010262929.tif 000014
【図１３】
2010262929.tif 000015
【図１４】
2010262929.tif 000016
【図１５】
2010262929.tif 000017
【図１６】
2010262929.tif 000018
【図１７】
2010262929.tif 000019